(57)【特許請求の範囲】
【請求項１】
相手端末とのテキスト通信機能を備えた通信端末であって、
受信した電子メールに含まれているテキストデータを音声データに変換するとともに、入力された音声データをテキストデータに変換するデータ変換手段と、
通話状態が未通話のときに前記相手端末への発信操作を受け付けた場合に、前記相手端末との間に擬似的な通話路を確立して通話状態を通話中に移行させ、通話状態が未通話のときに前記相手端末から電子メールを受信した場合に、着信通知を行い、当該着信通知に対する応答操作を受け付けたならば、前記相手端末との間に擬似的な通話路を確立して通話状態を通話中に移行させる発着信制御手段と、
通話状態が通話中のときに前記相手端末から電子メールを受信した場合に、前記データ変換手段により当該電子メールに含まれているテキストデータから変換された音声データを再生し、通話状態が通話中のときに音声データが入力された場合に、前記データ変換手段により当該音声データから変換されたテキストデータを含む電子メールを前記相手端末に送信する通話制御手段と、
通話状態が通話中のときに前記相手端末以外の端末から電子メールを受信した場合に、話中メッセージのテキストデータを含む電子メールを当該端末に送信する話中制御手段と、を有する
ことを特徴とする通信端末。
【請求項２】
請求項１に記載の通信端末であって、
通話状態が未通話のときに前記相手端末から電子メールを受信した場合において、自通信端末が不在設定されている場合、あるいは前記着信通知に対する応答操作を受け付けることなく所定時間を経過した場合に、前記データ変換手段により当該電子メールに含まれているテキストデータから変換された音声データを保存するとともに、不在メッセージのテキストデータを含む電子メールを前記相手端末に送信する留守番制御手段をさらに有する
ことを特徴とする通信端末。
【請求項３】
相手端末との音声通信機能を備えた通信端末であって、
操作者の指示に従い、前記相手端末を送信先とする電子メールを作成する電子メール作成手段と、
通話路を介して前記相手端末から受信した音声データを蓄積し、当該蓄積された音声データから無音区間が検出される毎に、当該無音区間が検出されるまでに蓄積された音声データをテキストデータに変換するとともに、前記電子メール作成手段により作成された前記相手端末を送信先とする電子メールに含まれているテキストデータを音声データに変換するデータ変換手段と、
前記相手端末から呼が着信した場合には自動応答して前記通話路を確立し、前記相手端末への発信操作がなされた場合には当該相手端末へ呼を発信して前記通話路を確立する発着信制御手段と、
前記データ変換手段により変換されたテキストデータを含む擬似的な電子メールを作成し、当該擬似的な電子メールを、前記相手端末から受信した電子メールとして表示するとともに、前記データ変換手段により前記相手端末を送信先とする電子メールに含まれているテキストデータから変換された音声データを、前記通話路を介して前記相手端末に送信する通話制御手段と、を有する
ことを特徴とする通信端末。
【請求項４】
請求項３に記載の通信端末であって、
前記自動応答により前記通話路が確立された場合において、前記相手端末から受信した電子メールとして表示された前記擬似的な電子メールに対する所定の操作を受け付けることなく所定時間を経過した場合に、前記通話路を介して前記相手端末に、不在メッセージの音声データを送信する留守番制御手段をさらに有する
ことを特徴とする通信端末。
【請求項５】
通信端末によるテキスト通信を利用した相手端末との双方向通信方法であって、
通話状態が未通話のときに前記相手端末から電子メールを受信した場合に、当該電子メールに含まれているテキストデータを音声に変換するとともに着信通知を行い、当該着信通知に対する応答操作がなされたならば、前記相手端末との間に擬似的な通話路を確立して通話状態を通話中に移行させ、変換された音声を再生して音声入力を受け付け、入力された音声をテキストデータに変換して、当該テキストデータを含む電子メールを前記相手端末に送信し、
通話状態が未通話のときに前記相手端末への発信操作がなされた場合に、前記相手端末との間に擬似的な通話路を確立して通話状態を通話中に移行させ、音声入力を受け付け、入力された音声をテキストデータに変換して、当該テキストデータを含む電子メールを前記相手端末に送信し、前記相手端末から電子メールを受信したならば、当該電子メールに含まれているテキストデータを音声に変換して再生し、
通話状態が通話中のときに前記相手端末以外の端末から電子メールを受信した場合に、話中メッセージのテキストデータを含む電子メールを当該端末に送信する
ことを特徴とする双方向通信方法。
【請求項６】
通信端末による音声通信を利用した相手端末との双方向通信方法であって、
前記相手端末から呼が着信した場合に、自動応答して通話路を確立し、当該通話路を介して前記相手端末から受信した音声データを蓄積し、当該蓄積された音声データから無音区間が検出される毎に、当該無音区間が検出されるまでに蓄積された音声データをテキストデータに変換して、当該テキストデータを含む擬似的な電子メールを作成し、当該擬似的な電子メールを前記相手端末から受信した電子メールとして表示するとともに、操作者の指示に従って作成された前記相手端末を送信先とする電子メールに含まれているテキストデータを音声データに変換して、当該音声データを、前記相手端末に当該通話路を介して送信し、
前記相手端末への発信操作がなされた場合、前記相手端末に呼を発信し、前記相手端末が応答したならば通話路を確立し、操作者の指示に従って作成された前記相手端末を送信先とする電子メールに含まれているテキストデータを音声データに変換して、当該音声データを、前記相手端末に当該通話路を介して送信するとともに、当該通話路を介して前記相手端末から受信した音声データを蓄積し、当該蓄積された音声データから無音区間が検出される毎に、当該無音区間が検出されるまでに蓄積された音声データをテキストデータに変換して、当該テキストデータを含む擬似的な電子メールを作成し、当該擬似的な電子メールを、前記相手端末から受信した電子メールとして表示する
ことを特徴とする双方向通信方法。
【発明の詳細な説明】
【技術分野】
【０００１】
本発明は、通信端末に関し、特に、テキスト・音声変換機能を使って通信相手の電話端末あるいはテキスト通信端末と双方向通信を実現する技術に関する。
【背景技術】
【０００２】
特許文献１には、電話と電子メールとが連動する、操作性および利便性に優れた電子メール連動ボタン電話装置が開示されている。
【０００３】
この電子メール連動ボタン電話装置には、電話番号とメールアドレスとが対応付けられて予め記憶される。そして、電子メール連動ボタン電話装置は、画面に表示されたメールアドレスが操作者により指定されると、このメールアドレスに対応付けられて記憶されている電話番号に対して呼を自動発信する。また、画面に表示された電話番号が操作者により指定されると、この電話番号に対応付けられて記憶されているメールアドレスに電子メールを自動送信する。
【先行技術文献】
【特許文献】
【０００４】
【特許文献１】特開２００２−３２５１２８号公報
【発明の概要】
【発明が解決しようとする課題】
【０００５】
特許文献１に記載の電子メール連動ボタン電話装置は、メールアドレスの指定に電話を連動、あるいは電話番号の指定に電子メールを連動させる技術であり、当事者間のコミュニケーション自体は、同じメディア（電話あるいは電子メール）で実施される。聴覚障害者などの音声通信を行うことが困難な人、あるいは声を出すことに配慮が必要な環境（例えば電車内）や声が聞き取り難い環境（例えば工事現場）にいるなど、音声通信を行うことが困難な状況にある人と、視覚障害者などのテキスト通信を行うことが困難な人、あるいはテキスト入力できない環境（例えば歩行中）にいるなど、テキスト通信を行うことが困難な状況にある人とのコミュニケーションについて、十分な配慮がなされていない。
【０００６】
本発明は上記事情に鑑みてなされたものであり、本発明の目的は、音声通信を行うことが困難な人あるいは困難な状況にある人と、テキスト通信を行うことが困難な人あるいは困難な状況にある人との双方向のコミュニケーションを実現できる技術を提供することにある。
【課題を解決するための手段】
【０００７】
上記課題を解決するために、本発明の第一の態様は、相手端末からテキストデータを受信した場合に、このテキストデータを音声変換するとともに着信通知を行い、操作者がこの着信通知に応答したならば、変換された音声を再生し、操作者から音声入力を受け付ける。そして、操作者から入力された音声をテキスト変換して相手端末に送信する。また、操作者により相手端末への発信操作がなされた場合、操作者から音声入力を受け付けて、この入力された音声をテキスト変換し、変換されたテキストデータを相手端末に送信する。そして、相手端末からテキストデータを受信したならば、このテキストデータを音声変換し、変換された音声を再生する。
【０００８】
例えば、本発明の第一の態様は、相手端末とのテキスト通信機能を備えた通信端末であって、
受信した電子メールに含まれているテキストデータを音声データに変換するとともに、入力された音声データをテキストデータに変換するデータ変換手段と、
通話状態が未通話のときに前記相手端末への発信操作を受け付けた場合に、前記相手端末との間に擬似的な通話路を確立して通話状態を通話中に移行させ、通話状態が未通話のときに前記相手端末から電子メールを受信した場合に、着信通知を行い、当該着信通知に対する応答操作を受け付けたならば、前記相手端末との間に擬似的な通話路を確立して通話状態を通話中に移行させる発着信制御手段と、
通話状態が通話中のときに前記相手端末から電子メールを受信した場合に、前記データ変換手段により当該電子メールに含まれているテキストデータから変換された音声データを再生し、通話状態が通話中のときに音声データが入力された場合に、前記データ変換手段により当該音声データから変換されたテキストデータを含む電子メールを前記相手端末に送信する通話制御手段と、
通話状態が通話中のときに前記相手端末以外の端末から電子メールを受信した場合に、話中メッセージのテキストデータを含む電子メールを当該端末に送信する話中制御手段と、を有する。
【０００９】
また、本発明の第二の態様は、相手端末から着呼した場合に、自動応答して相手端末から音声データを受け付け、この音声データをテキスト変換して表示する。そして、操作者からテキスト入力を受け付け、入力されたテキストデータを音声変換して相手端末に送信する。また、操作者により相手端末への発信操作がなされた場合、操作者から受け付けたテキストデータを音声変換するとともに、相手端末に発呼し、相手端末が応答したならば、変換された音声データを相手端末に送信する。そして、相手端末から送られてきた音声データをテキスト変換して表示する。
【００１０】
また、本発明の第二の態様は、相手端末との音声通信機能を備えた通信端末であって、
操作者の指示に従い、前記相手端末を送信先とする電子メールを作成する電子メール作成手段と、
通話路を介して前記相手端末から受信した音声データを蓄積し、当該蓄積された音声データから無音区間が検出される毎に、当該無音区間が検出されるまでに蓄積された音声データをテキストデータに変換するとともに、前記電子メール作成手段により作成された前記相手端末を送信先とする電子メールに含まれているテキストデータを音声データに変換するデータ変換手段と、
前記相手端末から呼が着信した場合には自動応答して前記通話路を確立し、前記相手端末への発信操作がなされた場合には当該相手端末へ呼を発信して前記通話路を確立する発着信制御手段と、
前記データ変換手段により変換されたテキストデータを含む擬似的な電子メールを作成し、当該擬似的な電子メールを前記相手端末から受信した電子メールとして表示するとともに、前記データ変換手段により前記相手端末を送信先とする電子メールに含まれているテキストデータから変換された音声データを、前記通話路を介して前記相手端末に送信する通話制御手段と、を有する。
【発明の効果】
【００１１】
本発明によれば、音声通信を行うことが困難な人あるいは困難な状況にある人、テキスト通信を行うことが困難な人あるいは困難な状況にある人との双方向のコミュニケーションを実現することができる。
【図面の簡単な説明】
【００１２】
【図１】図１（Ａ）は、本発明の第一実施の形態に係る通信端末１の着信動作の一例を説明するためのシーケンス図であり、図１（Ｂ）は、本発明の第一実施の形態に係る通信端末１の発信動作の一例を説明するためのシーケンス図である。
【図２】図２は、本発明の第一実施の形態に係る通信端末１の概略機能構成図である。
【図３】図３は、本発明の第一実施の形態に係る通信端末１の、メール端末３からの着信動作を説明するためのフロー図である。
【図４】図４は、本実施の形態に係る通信端末１の、メール端末３への発信動作を説明するためのフロー図である。
【図５】図５（Ａ）は、本発明の第二実施の形態に係る通信端末２の着信動作の一例を説明するためのシーケンス図であり、図５（Ｂ）は、本発明の第二実施の形態に係る通信端末２の発信動作の一例を説明するためのシーケンス図である。
【図６】図６は、本発明の第二実施の形態に係る通信端末２の概略機能構成図である。
【図７】図７は、本実施の形態に係る通信端末２の、電話端末４からの着信動作を説明するためのフロー図である。
【図８】図８は、本実施の形態に係る通信端末２の、電話端末４への発信動作を説明するためのフロー図である。
【発明を実施するための形態】
【００１３】
以下に、本発明の実施の形態について説明する。
【００１４】
＜第一実施の形態＞
まず、本発明の第一実施の形態として、通信端末のユーザが、音声を使って、携帯端末、ＰＣ等の電子メールの送受信機能を備えたメール端末のユーザと双方向のコミュニケーションを行うことができる通信端末を説明する。
【００１５】
図１（Ａ）は、本発明の第一実施の形態に係る通信端末１の着信動作の一例を説明するためのシーケンス図である。ここで、符号３は、メール端末である。
【００１６】
通信端末１は、音声変換指示を伴う電子メール（以下、音声変換対象メール）をメール端末３から受信すると（Ｓ１０１）、この音声変換対象メールのメール本文に含まれているテキストデータを音声データに変換するとともに（Ｓ１０２）、着信鳴動して（Ｓ１０３）、ユーザに着信があったことを知らせる。なお、受信メールが音声変換対象メールであるか否かの判断は、例えば、タイトル、メール本文等の所定領域に所定の文字・記号列が挿入されているか否かを調べることで判断する。
【００１７】
つぎに、通信端末１は、ユーザから応答操作を受け付けると（Ｓ１０４）、変換された音声データを再生して（Ｓ１０５）、ユーザの発話を待つ。そして、ユーザが発話を開始し、通信端末１に音声データが入力されると（Ｓ１０６）、通信端末１は、入力された音声データをテキストデータに変換する（Ｓ１０７）。それから、通信端末１は、ユーザから送信操作を受け付けると（Ｓ１０８）、変換されたテキストデータがメール本文に展開された返信メールを生成し（Ｓ１０９）、この返信メールをメール端末３に送信する（Ｓ１１０）。
【００１８】
なお、着信鳴動（Ｓ１０３）に対して所定時間内にユーザからの応答操作（Ｓ１０４）を受け付けなかった場合、通信端末１は、Ｓ１０５以降を実施する代わりに、Ｓ１０２で変換された音声データを伝言メッセージとして保存し、所定の不在通知メールをメール端末３に送信する。また、通信端末１が不在設定されている場合、通信端末１は、Ｓ１０３以降を実施する代わりに、Ｓ１０２で変換された音声データを伝言メッセージとして保存し、所定の不在通知メールをメール端末３に送信する。
【００１９】
図１（Ｂ）は、本発明の第一実施の形態に係る通信端末１の発信動作の一例を説明するためのシーケンス図である。ここで、図１（Ａ）と同じものには、同じ符号を付している。
【００２０】
通信端末１は、メール端末３に対する発信操作をユーザから受け付けると（Ｓ１２１）、ユーザの発話を待つ。そして、ユーザが発話を開始し、通信端末１に音声データが入力されると（Ｓ１２２）、通信端末１は、入力された音声データをテキストデータに変換する（Ｓ１２３）。それから、通信端末１は、ユーザから送信操作を受け付けると（Ｓ１２４）、変換されたテキストデータがメール本文に展開された電子メールを生成し（Ｓ１２５）、この電子メールをメール端末３に送信する（Ｓ１２６）。
【００２１】
つぎに、通信端末１は、メール端末３から返信メール（音声変換対象メール）を受信すると（Ｓ１２７）、この返信メールのメール本文に含まれているテキストデータを音声データに変換し（Ｓ１２８）、この音声データを再生する（Ｓ１２９）。
【００２２】
図２は、本実施の形態に係る通信端末１の概略機能構成図である。
【００２３】
図示するように、本実施の形態に係る通信端末１は、通信インターフェース部１０１と、マンマシンインターフェース部１０２と、メール送受信部１０３と、メール機能部１０４と、テキスト・音声変換部１０５と、音声・テキスト変換部１０６と、電話機能部１０７と、を有する。
【００２４】
通信インターフェース部１０１は、通信網に接続し、メール端末３、および図示していない電話端末などと通信を行うためのインターフェースである。
【００２５】
マンマシンインターフェース部１０２は、ユーザが電話、電子メールおよび各種操作を行うためのインターフェースであり、図示していないが、ハンドセット、スピーカ、フックボタン、ダイヤルキー等の操作部、およびＬＣＤ等の表示部を備える。
【００２６】
メール送受信部１０３は、ＳＭＴＰ、ＰＯＰ３等の通信プロトコルに従い、通信インターフェース部１０１を介して電子メールの送受信を行う。
【００２７】
メール機能部１０４は、電子メールの作成、閲覧および管理を行う電子メールクライアントである。メール機能部１０４は、マンマシンインターフェース部１０２を介してユーザから受け付けたテキストデータをメール本文に展開して送信メールを作成したり、メール送受信部１０３から受け取った受信メールを、マンマシンインターフェース部１０２を介してユーザに通知したり、送受信メールを保存したりする。
【００２８】
また、メール機能部１０４は、メール送受信部１０３から受け取った受信メールが音声変換対象メールである場合に、この受信メールのメール本文に含まれているテキストデータを、この受信メールの送信元アドレスとともに電話機能部１０７に渡す。さらに、メール機能部１０４は、電話機能部１０７からメールアドレスとともにテキストデータを受け取った場合、このメールアドレスを送信先アドレスとし、このテキストデータがメール本文に展開された電子メールを生成し、この電子メールをメール送受信部１０３に渡す。
【００２９】
テキスト・音声変換部１０５は、電話機能部１０７から受け取ったテキストデータを音声データに変換し、この音声データを電話機能部１０７に渡す。
【００３０】
音声・テキスト変換部１０６は、電話機能部１０７から受け取った音声データをテキストデータに変換し、このテキストデータを電話機能部１０７に渡す。
【００３１】
電話機能部１０７は、通信インターフェース部１０１を介して、発着信処理、通話処理、留守録処理等の電話本来の機能を実現する。加えて、電話機能部１０７は、メール機能部１０４から音声変換対象メールの送信元アドレスとメール本文のテキストデータとを受け取った場合、および、メールアドレスの指定を伴う発信操作をユーザから受け取った場合に、メール機能部１０４、テキスト・音声変換部１０５、および音声・テキスト変換部１０６と連携して、音声によるメール端末３との双方向コミュニケーション機能をユーザに提供する。これらの機能を実現するため、図示するように、電話機能部１０７は、発着信制御部１０７１と、通話制御部１０７２と、留守録制御部１０７３と、を有する。
【００３２】
発着信制御部１０７１は、呼の発着信処理を行って、通信インターフェース部１０１を介して、通話相手である電話端末との間に通話路を確立する。
【００３３】
加えて、発着信制御部１０７１は、通話状態が未通話（通話中および発着信処理中以外の状態）のときに音声変換対象メールが受信されると、マンマシンインターフェース部１０２を着信鳴動させる。そして、所定時間内にマンマシンインターフェース部１０２を介してユーザから応答操作を受け付けたならば、音声変換対象メールの送信元メールアドレスにより特定されるメール端末３との間に疑似的な通話路を確立して、通話状態を通話中に移行させる。
【００３４】
また、発着信制御部１０７１は、通話状態が未通話のときに、マンマシンインターフェース部１０２を介してユーザから、メールアドレスの指定を伴う発信操作を受け付けた場合、このメールアドレスにより特定されるメール端末３との間に疑似的な通話路を確立して、通話状態を通話中に移行させる。
【００３５】
通話制御部１０７２は、通話処理を行って、発着信制御部１０７１により確立された通話路を介して、通話相手である電話端末との通話を実現する。
【００３６】
加えて、通話制御部１０７２は、音声変換対象メールのメール本文のテキストデータをテキスト・音声変換部１０５に渡して、このテキストデータから変換された音声データをテキスト・音声変換部１０５から取得する。そして、音声変換対象メールの送信元アドレスにより特定されるメール端末３との間に疑似的な通話路が発着信制御部１０７１により確立されて、通話状態が通話中となっているならば、このテキストデータから変換された音声データをマンマシンインターフェース部１０２に出力する。
【００３７】
また、通話制御部１０７２は、発着信制御部１０７１によりメール端末３との間に疑似的な通話路が確立されて、通話状態が通話中となっている場合、マンマシンインターフェース部１０２に入力されたユーザの音声データを音声・テキスト変換部１０６に渡して、この音声データから変換されたテキストデータを音声・テキスト変換部１０６から取得する。そして、取得したテキストデータを、このメール端末３のメールアドレスとともにメール機能部１０４に渡す。
【００３８】
留守録制御部１０７３は、自通信端末１が不在設定されている場合、電話端末から着信した呼に留守録処理を行って、この電話端末から音声メッセージを伝言メッセージとして取得して保存する。
【００３９】
加えて、留守録制御部１０７３は、自通信端末１が不在設定されている場合に音声変換対象メールが受信されると、音声変換対象メールのメール本文のテキストデータから変換された音声データを伝言メッセージとして通話制御部１０７２から取得して保存するとともに、予め用意された不在メッセージのテキストデータを、音声変換対象メールの送信元アドレスとともにメール機能部１０４に渡す。
【００４０】
また、音声変換対象メールの受信に起因して、発着信制御部１０７１がマンマシンインターフェース部１０２を着信鳴動させた場合に、所定時間内にマンマシンインターフェース部１０２を介してユーザから応答操作を受け付けなければ、留守録制御部１０７３は、音声変換対象メールのメール本文のテキストデータから変換された音声データを、伝言メッセージとして通話制御部１０７２から取得して保存するとともに、不在メッセージのテキストデータを、音声変換対象メールの送信元アドレスとともにメール機能部１０４に渡す。
【００４１】
図３は、本実施の形態に係る通信端末１の、メール端末３からの着信動作を説明するためのフロー図である。このフローは、通信端末１が、通話状態が未通話のときに、メール端末３から音声変換対象メールを受信することで開始される。
【００４２】
まず、メール機能部１０４は、受信メール（音声変換対象メール）のメール本文からテキストデータを抽出し、このテキストデータを、音声変換対象メールの送信元アドレス（メール端末３のメールアドレス）とともに電話機能部１０７に渡す（Ｓ２０１）。
【００４３】
これを受けて、電話機能部１０７において、通話制御部１０７２は、音声変換対象メールのメール本文のテキストデータをテキスト・音声変換部１０５に渡す。テキスト・音声変換部１０５は、受け取ったテキストデータを音声データに変換して、この音声データを通話制御部１０７２に渡す（Ｓ２０２）。
【００４４】
また、発着信制御部１０７１は、自通信端末１が不在設定されているか否かを調べる（Ｓ２０３）。自通信端末１が不在設定されていないならば（Ｓ２０３でＮＯ）、発着信制御部１０７１は、マンマシンインターフェース部１０２を着信鳴動させて（Ｓ２０４）、マンマシンインターフェース部１０２を介してユーザからの応答操作を待つ（Ｓ２０５）。
【００４５】
ここで、自通信端末１が不在設定されている場合（Ｓ２０３でＹＥＳ）、あるいは着信鳴動に対する応答操作をユーザから受け付けることなく（Ｓ２０５でＮＯ）、所定時間の経過によりタイムアウトした場合（Ｓ２０６でＹＥＳ）、発着信制御部１０７１は、留守録制御部１０７３に不在処理を指示する。これを受けて、留守録制御部１０７３は、テキスト・音声変換部１０５によりテキストデータから変換された音声データを通話制御部１０７２から取得して、この音声データを伝言メッセージとして保存する（Ｓ２０７）。
【００４６】
つぎに、留守録制御部１０７３は、予め用意された不在メッセージのテキストデータを、音声変換対象メールの送信元アドレスとともにメール機能部１０４に渡す。これを受けて、メール機能部１０４は、不在メッセージのテキストデータがメール本文に展開された電子メールを不在通知メールとして作成する（Ｓ２０８）。なお、タイトル、メール本文等の所定領域に所定の文字・記号列を挿入して、この不在通知メールが、音声変換対象メールに対する返信メールであることを明示するようにしてもよい。
【００４７】
つぎに、メール機能部１０４は、メール送受信部１０３および通信インターフェース部１０１を介して、電話機能部１０７から受け取ったメールアドレスにより特定されるメール端末３に、この不在通知電子メールを送信する（Ｓ２０９）。これにより、このフローが終了する。
【００４８】
一方、所定時間の経過によりタイムアウトする前に（Ｓ２０６でＮＯ）、着信鳴動（Ｓ２０４）に対する応答操作をユーザから受け付けた場合（Ｓ２０５でＹＥＳ）、発着信制御部１０７１は、メール端末３との間に疑似的な通話路を確立して、通話状態を「未通話」から「通話中」に変更する（Ｓ２１０）。
【００４９】
つぎに、通話制御部１０７２は、音声変換対象メールの送信元アドレスにより特定されるメール端末３との間に疑似的な通話路を確立したならば、テキスト・音声変換部１０５により音声変換対象メールのメール本文のテキストデータから変換された音声データを再生して、マンマシンインターフェース部１０２に出力する（Ｓ２１１）。
【００５０】
その後、通話制御部１０７２は、ユーザにより発話が開始され、マンマシンインターフェース部１０２に音声データが入力されると（Ｓ２１２でＹＥＳ）、この音声データの蓄積を開始する（Ｓ２１３）。そして、通話制御部１０７２は、蓄積された音声データから所定時間以上継続する無音状態を検出すると（Ｓ２１４でＹＥＳ）、音声データの蓄積を終了するとともに、それまでに蓄積された音声データを音声・テキスト変換部１０６に渡す。音声・テキスト変換部１０６は、受け取った音声データをテキストデータに変換して、この変換されたテキストデータを通話制御部１０７２に渡す（Ｓ２１５）。
【００５１】
それから、通話制御部１０７２は、マンマシンインターフェース部１０２を介してユーザから送信操作を受け付けると（Ｓ２１６でＹＥＳ）、音声・テキスト変換部１０６から受け取ったユーザ音声のテキストデータを、疑似的な通話路の接続相手（メール端末３）のメールアドレスとともに、メール機能部１０４に渡す。これを受けて、メール機能部１０４は、ユーザ音声のテキストデータがメール本文に展開された電子メールを作成する（Ｓ２１７）。なお、タイトル、メール本文等の所定領域に所定の文字・記号列を挿入して、この電子メールが、音声変換対象メールに対する返信メールであることを明示するようにしてもよい。
【００５２】
つぎに、メール機能部１０４は、メール送受信部１０３および通信インターフェース部１０１を介して、電話機能部１０７から受け取ったメールアドレスにより特定されるメール端末３に、この作成した電子メールを送信する（Ｓ２１８）。
【００５３】
また、メール機能部１０４は、通信インターフェース部１０１およびメール送受信部１０３を介して音声変換対象メールを新たに受信すると（Ｓ２１９でＹＥＳ）、この音声変換対象メールのメール本文からテキストデータを抽出し、このテキストデータを、この音声変換対象メールの送信元アドレスとともに、電話機能部１０７に渡す（Ｓ２２０）。
【００５４】
これを受けて、電話機能部１０７において、通話制御部１０７２は、新たな音声変換対象メールのメール本文のテキストデータをテキスト・音声変換部１０５に渡す。テキスト・音声変換部１０５は、受け取ったテキストデータを音声データに変換し、この音声データを通話制御部１０７２に渡す（Ｓ２２１）。
【００５５】
つぎに、通話制御部１０７２は、新たな音声変換対象メールの送信元アドレスが疑似的な通話路の接続先（メール端末３）のメールアドレスであるか否かを確認する（Ｓ２２２）。新たな音声変換対象メールの送信元アドレスが疑似的な通話路の接続先（メール端末３）のメールアドレスである場合（Ｓ２２２でＹＥＳ）、通話制御部１０７２は、テキスト・音声変換部１０５により新たな音声変換対象メールのメール本文のテキストデータから変換された音声データを再生して、この音声データをマンマシンインターフェース部１０２に出力する（Ｓ２２３）。
【００５６】
一方、新たな音声変換対象メールの送信元アドレスが疑似的な通話路の接続先（メール端末３）のメールアドレスでない場合（Ｓ２２２でＮＯ）、通話制御部１０７２は、留守録制御部１０７３に話中処理を指示する。これを受けて、留守録制御部１０７３は、テキスト・音声変換部１０５により新たな音声変換対象メールのメール本文のテキストデータから変換された音声データを、通話制御部１０７２から取得して、この音声データを伝言メッセージとして保存する（Ｓ２２４）。
【００５７】
つぎに、留守録制御部１０７３は、予め用意された話中メッセージのテキストデータを、新たな音声変換対象メールの送信元アドレスとともに、メール機能部１０４に渡す。これを受けて、メール機能部１０４は、話中メッセージのテキストデータがメール本文に展開された電子メールを作成する（Ｓ２２５）。なお、タイトル、メール本文等の所定領域に所定の文字・記号列を挿入して、この電子メールが、音声変換対象メールに対する返信メールであることを明示するようにしてもよい。
【００５８】
つぎに、メール機能部１０４は、メール送受信部１０３および通信インターフェース部１０１を介して、電話機能部１０７から受け取ったメールアドレスに、この作成した電子メールを送信する（Ｓ２２６）。
【００５９】
また、通話制御部１０７２は、マンマシンインターフェース部１０２を介してユーザから終話操作を受け付けると（Ｓ２２７でＹＥＳ）、確立中の疑似的な通話路を切断して、通話状態を「通話中」から「未通話」に変更する（Ｓ２２８）。これにより、このフローが終了する。
【００６０】
なお、終話操作を受け付けるまで（Ｓ２２７がＮＯの間）、次の音声入力を待ち（Ｓ２１２）、音声入力後の無音区間を検出する度に、入力音声をテキストに変換する。
【００６１】
図４は、本実施の形態に係る通信端末１の、メール端末３への発信動作を説明するためのフロー図である。このフローは、通信端末１が、通話状態が未通話のときに、メール端末３への発信操作をユーザから受け付けることで開始される。
【００６２】
まず、発着信制御部１０７１は、発信操作で指定されたメールアドレスにより特定されるメール端末３との間に疑似的な通話路を確立して、通話状態を「未通話」から「通話中」に変更する（Ｓ２５１）。
【００６３】
つぎに、通話制御部１０７２は、ユーザにより発話が開始され、マンマシンインターフェース部１０２に音声データが入力されると（Ｓ２５２でＹＥＳ）、この音声データの蓄積を開始する（Ｓ２５３）。そして、通話制御部１０７２は、蓄積された音声データから所定時間以上継続する無音状態を検出すると（Ｓ２５４でＹＥＳ）、音声データの蓄積を終了するとともに、それまでに蓄積された音声データを音声・テキスト変換部１０６に渡す。音声・テキスト変換部１０６は、受け取った音声データをテキストデータに変換して、このテキストデータを通話制御部１０７２に渡す（Ｓ２５５）。
【００６４】
それから、通話制御部１０７２は、マンマシンインターフェース部１０２を介してユーザから送信操作を受け付けると（Ｓ２５６でＹＥＳ）、音声・テキスト変換部１０６から受け取ったユーザ音声のテキストデータを、疑似的な通話路の接続相手（メール端末３）のメールアドレスとともに、メール機能部１０４に渡す。これを受けて、メール機能部１０４は、ユーザ音声のテキストデータがメール本文に展開された電子メールを作成する（Ｓ２５７）。なお、タイトル、メール本文等の所定領域に所定の文字・記号列を挿入して、この電子メールが、音声データをテキストデータに変換することにより得られたメールであることを明示するようにしてもよい。
【００６５】
つぎに、メール機能部１０４は、メール送受信部１０３および通信インターフェース部１０１を介して、電話機能部１０７から受け取ったメールアドレスにより特定されるメール端末３に、この作成した電子メールを送信する（Ｓ２５８）。
【００６６】
また、メール機能部１０４は、通信インターフェース部１０１およびメール送受信部１０３を介して音声変換対象メールを受信すると（Ｓ２５９でＹＥＳ）、音声変換対象メールのメール本文からテキストデータを抽出し、このテキストデータを音声変換対象メールの送信元アドレスとともに、電話機能部１０７に渡す（Ｓ２６０）。
【００６７】
これを受けて、電話機能部１０７において、通話制御部１０７２は、音声変換対象メールのメール本文のテキストデータをテキスト・音声変換部１０５に渡す。テキスト・音声変換部１０５は、受け取ったテキストデータを音声データに変換して、この音声データを通話制御部１０７２に渡す（Ｓ２６１）。
【００６８】
つぎに、通話制御部１０７２は、音声変換対象メールの送信元アドレスが疑似的な通話路の接続先（メール端末３）のメールアドレスであるか否かを確認する（Ｓ２６２）。音声変換対象メールの送信元アドレスが疑似的な通話路の接続先（メール端末３）のメールアドレスである場合（Ｓ２６２でＹＥＳ）、通話制御部１０７２は、テキスト・音声変換部１０５により音声変換対象メールのメール本文のテキストデータから変換された音声データを再生して、マンマシンインターフェース部１０２に出力する（Ｓ２６３）。
【００６９】
一方、音声変換対象メールの送信元アドレスが疑似的な通話路の接続先（メール端末３）のメールアドレスでない場合（Ｓ２６２でＮＯ）、通話制御部１０７２は、留守録制御部１０７３に話中処理を指示する。これを受けて、留守録制御部１０７３は、テキスト・音声変換部１０５により音声変換対象メールのメール本文のテキストデータから変換された音声データを、通話制御部１０７２から取得して、この音声データを伝言メッセージとして保存する（Ｓ２６４）。
【００７０】
つぎに、留守録制御部１０７３は、予め用意された話中メッセージのテキストデータを、音声変換対象メールの送信元アドレスとともに、メール機能部１０４に渡す。これを受けて、メール機能部１０４は、話中メッセージのテキストデータがメール本文に展開された電子メールを作成する（Ｓ２６５）。なお、タイトル、メール本文等の所定領域に所定の文字・記号列を挿入して、この電子メールが、音声変換対象メールに対する返信メールであることを明示するようにしてもよい。
【００７１】
つぎに、メール機能部１０４は、メール送受信部１０３および通信インターフェース部１０１を介して、電話機能部１０７から受け取ったメールアドレスに、この作成した電子メールを送信する（Ｓ２６６）。
【００７２】
また、通話制御部１０７２は、マンマシンインターフェース部１０２を介してユーザから終話操作を受け付けると（Ｓ２６７でＹＥＳ）、確立中の疑似的な通話路を切断して、通話状態を「通話中」から「未通話」に変更する（Ｓ２６８）。これにより、このフローが終了する。
【００７３】
なお、終話操作を受け付けるまで（Ｓ２６７がＮＯの間）、次の音声入力を待ち（Ｓ２５２）、音声入力後の無音区間を検出する度に、入力音声をテキストに変換する。
【００７４】
以上、本発明の第一実施の形態について説明した。
【００７５】
本実施の形態に係る通信端末１は、通話状態が未通話のときにメール端末３から音声変換対象メールを受信した場合に、着信通知を行い、この着信通知に対する応答操作を受け付けたならば、メール端末３との間に疑似的な通話路を確立して、通話状態を通話中に移行させる。また、通話状態が未通話のときにメール端末３への発信操作を受け付けたならば、メール端末３との間に疑似的な通話路を確立して、通話状態を通話中に移行させる。
【００７６】
メール端末３との間に疑似的な通話路が確立され、通話状態が通話中となったならば、この音声変換対象メール、およびその後にメール端末３から受信する音声変換対象メールのテキストデータから変換された音声データを再生出力するとともに、入力音声データから変換されたテキストデータを含む電子メールをメール端末３に送信する。
【００７７】
したがって、本実施の形態によれば、通信端末１のユーザは、テキスト入力を行うことが困難な場合でも、音声を使ってメール端末３のユーザと双方向のコミュニケーションを行うことができる。
【００７８】
また、本実施に形態に係る通信端末１は、通話状態が未通話のときにメール端末３から音声変換対象メールを受信した場合に、着信通知に対する応答操作を受け付けることなく所定時間を経過したならば、あるいは、自通信端末１が不在設定されているならば、この音声変換対象メールのテキストデータから変換された音声データを伝言メッセージとして保存するとともに、所定の不在メッセージが記述された電子メールをメール端末３に返信する。なお、１つ以上の伝言メッセージが未再生のまま保存されている場合、未通話中の所定のタイミング（予め設定された時刻が到来したタイミング、保存時から所定の時間を経過したタイミング、ユーザが通信端末１に次の操作をしたタイミング等）に、留守録制御部１０７が、その旨を通知する音声をマンマシンインターフェース部１０２から自動的に出力するようにしてもよい。
【００７９】
したがって、本実施の形態によれば、通話状態が未通話のときにメール端末３から音声変換対象メールを受信した場合において、通信端末１のユーザが不在、会議等によりすぐに対応できない状態にある場合に、その旨をメール端末３のユーザに迅速に知らせることができる。
【００８０】
また、本実施に形態に係る通信端末１は、通話状態が通話中のときに、確立している疑似的な通話路の接続先以外から音声変換対象メールを受信した場合に、この音声変換対象メールのテキストデータから変換された音声データを伝言メッセージとして保存するとともに、所定の話中メッセージが記述された電子メールをこの音声変換対象メールの送信元に返信する。なお、通話中に伝言メッセージが保存された場合、通話制御部１０７２がユーザからの終話操作に応じて疑似的な通話路を切断したタイミングで、留守録制御部１０７が、伝言メッセージをマンマシンインターフェース部１０２から自動的に出力するようにしてもよい。
【００８１】
したがって、本実施の形態によれば、通話状態が通話中のときに通話相手のメール端末３以外から音声変換対象メールを受信した場合に、通信端末１のユーザが話中によりすぐに対応できない旨を、この音声変換対象メールの送信元に迅速に知らせることができる。
【００８２】
また、本実施の形態に係る通信端末１は、受信した電子メールのタイトル、メール本文等の所定領域に所定の文字・記号列が含まれている場合に、この電子メールを音声変換対象メールと判断している。
【００８３】
したがって、本実施の形態によれば、メール端末３のユーザは、電子メールの所定領域に所定の文字・記号列を挿入して、この電子メールを音声変換対象メールとして通信端末１に送信することで、通信端末１のユーザに、電話をかけた場合と同じような迅速さで、この電子メールに対応させることが可能となる。
【００８４】
なお、本実施の形態において、通信端末１は、受信メールが音声変換対象メールである場合に、この音声変換対象メールからテキストデータを抽出して音声データに変換し、この音声データを再生（疑似的な通話路確立の場合）あるいは保存（不在、話中の場合）している。しかし、本発明はこれに限定されない。通信端末１のユーザの指示に従い、すべての受信メールからテキストデータを抽出して音声データに変換し、再生あるいは保存するようにしてもよい。
【００８５】
また、通信端末１は、電子メールを利用して相手端末と通信しているが、本発明は、テキスト通信を利用して相手端末と通信する場合に広く適用可能である。
【００８６】
＜第二実施の形態＞
つぎに、本発明の第二実施の形態として、テキストを使って電話端末のユーザと双方向のコミュニケーションを行うことができる通信端末を説明する。
【００８７】
図５（Ａ）は、本発明の第二実施の形態に係る通信端末２の着信動作の一例を説明するためのシーケンス図である。ここで、符号４は、固定電話機、携帯端末、ＩＰ電話機等の電話端末である。
【００８８】
通信端末２は、電話端末４から呼の接続要求を受信（着呼）すると（Ｓ１４１）、無鳴動応答して（Ｓ１４２）、電話端末４との間に通話路を確立する。そして、この通話路を介して電話端末４に操作音声ガイドを送出する（Ｓ１４３）。ここで、音声操作ガイドには、例えば、通信端末２のユーザがテキストを使ってコミュニケーションするためレスポンスに時間がかかること、および電話端末４のユーザの発話内容をテキスト変換して通信端末２のユーザに通知するタイミングを所定のＰＢで指示することなどを電話端末４のユーザに知らせるための音声アナウンスが含まれる。
【００８９】
つぎに、通信端末２は、電話端末４のユーザが発話し、その音声データが通話路を介して電話端末４から送られてくると（Ｓ１４４）、この音声データをテキストデータに変換する（Ｓ１４５）。
【００９０】
それから、通信端末２は、電話端末４のユーザが所定のＰＢを操作し、そのＰＢ信号が通話路を介して電話端末４から送られてくると（Ｓ１４６）、この電話端末４を送信元とし、この電話端末４の音声データから変換されたテキストデータがメール本文に展開された疑似受信メールを作成して、この疑似受信メールの着信通知を行う（Ｓ１４７）。
【００９１】
つぎに、通信端末２は、ユーザから表示操作を受け付けると（Ｓ１４８）、この疑似受信メールを表示する（Ｓ１４９）。そして、ユーザから、テキスト入力を伴う疑似返信メールの作成指示を受け付けて（Ｓ１５０）、入力されたテキストデータがメール本文に展開された疑似送信メールを作成する（Ｓ１５１）。その後、ユーザから返信操作を受け付けると（Ｓ１５２）、通信端末２は、疑似送信メールのメール本文に含まれているテキストデータを音声データに変換し（Ｓ１５３）、通話路を介して電話端末４に、この音声データを送信する（Ｓ１５４）。
【００９２】
なお、疑似受信メールの着信通知（Ｓ１４７）に対して所定時間内にユーザから表示操作（Ｓ１４８）を受け付けなかった場合、通信端末２は、Ｓ１４９以降を実施する代わりに、不在を表す所定の音声アナウンスを、通話路を介して電話端末４に送信する。
【００９３】
図５（Ｂ）は、本発明の第二実施の形態に係る通信端末２の発信動作の一例を説明するためのシーケンス図である。ここで、図５（Ａ）と同じものには、同じ符号を付している。
【００９４】
通信端末２は、ユーザから、電話端末４への発信操作を受け、さらに、テキスト入力を伴う疑似送信メールの作成指示を受け付けると（Ｓ１６１）、入力されたテキストデータがメール本文に展開された、電話端末４を送信先とする疑似送信メールを作成する（Ｓ１６２）。その後、ユーザから送信操作を受け付けると（Ｓ１６３）、通信端末２は、電話端末４に呼の接続要求を送信（発呼）する（Ｓ１６４）。そして、電話端末４から応答を受け付けることにより（Ｓ１６５）、電話端末４との間に通話路を確立する。
【００９５】
つぎに、通信端末２は、通話路を介して電話端末４に、着信動作の場合と同様な操作音声ガイドを送出する（Ｓ１６６）。それから、通信端末２は、作成した疑似送信メールのメール本文に含まれているテキストデータを音声データに変換し（Ｓ１６７）、通話路を介して電話端末４に、この音声データを送信する（Ｓ１６８）。
【００９６】
つぎに、通信端末２は、電話端末４のユーザが発話し、その音声データが通話路を介して電話端末４から送られてくると（Ｓ１６９）、この音声データをテキストデータに変換する（Ｓ１７０）。
【００９７】
それから、通信端末２は、電話端末４のユーザが所定のＰＢを操作し、そのＰＢ信号が通話路を介して電話端末４から送られてくると（Ｓ１７１）、この電話端末４を送信元とし、この電話端末４の音声データから変換されたテキストデータがメール本文に展開された疑似受信メールを作成して、この疑似受信メールの着信通知を行う（Ｓ１７２）。そして、通信端末２は、ユーザから表示操作を受け付けると（Ｓ１７３）、この疑似受信メールを表示する（Ｓ１７４）。
【００９８】
図６は、本実施の形態に係る通信端末２の概略機能構成図である。
【００９９】
図示するように、本実施の形態に係る通信端末２は、通信インターフェース部２０１と、マンマシンインターフェース部２０２と、メール送受信部２０３と、メール機能部２０４と、疑似メール機能部２０５と、電話帳記憶部２０６と、テキスト・音声変換部２０７と、音声・テキスト変換部２０８と、電話機能部２０９と、を有する。
【０１００】
通信インターフェース部２０１は、通信網と接続し、電話端末４、および図示していないメール端末などと通信を行うためのインターフェースである。
【０１０１】
マンマシンインターフェース部２０２は、ユーザが電話、メールおよび各種操作を行うためのインターフェースであり、図示していないが、ハンドセット、スピーカ、フックボタン、ダイヤルキー等の操作部、およびＬＣＤ等の表示部を備える。
【０１０２】
メール送受信部２０３は、ＳＭＴＰ、ＰＯＰ３等の通信プロトコルに従い、通信インターフェース部２０１を介して電子メールの送受信を行う。
【０１０３】
メール機能部２０４は、電子メールの作成、閲覧および管理を行う電子メールクライアントである。メール機能部２０４は、マンマシンインターフェース部２０２を介してユーザから受け付けたテキストデータをメール本文に展開して送信メールを作成したり、メール送受信部２０３から受け取った受信メールを、マンマシンインターフェース部２０２を介してユーザに通知したり、送受信メールを保存したりする。
【０１０４】
疑似メール機能部２０５は、通信端末２のユーザがテキストを使って電話端末４のユーザとの双方向のコミュニケーションを実現するために利用する電子メール（疑似送信メール、疑似受信メール：これらをまとめて疑似メールと呼ぶ）を作成する。例えば、マンマシンインターフェース部２０２を介してユーザから受け付けた指示に従い疑似送信メールを作成し、この疑似送信メールのメール本文に展開されているテキストデータを、この疑似メールの送信先の電話番号とともに電話機能部２０９に渡す。また、電話機能部２０９から受け取ったテキストデータをメール本文に展開して、このテキストデータとともに電話機能部２０９から受け取った電話番号を送信元とする疑似受信メールを作成し、マンマシンインターフェース部２０２に出力する。また、これらの疑似メールを保存する。
【０１０５】
電話帳記憶部２０６には、電話番号、メールアドレス、および氏名、住所等を含む電話帳データが記憶されている。
【０１０６】
テキスト・音声変換部２０７は、電話機能部２０９から受け取ったテキストデータを音声データに変換して、この音声データを電話機能部２０９に渡す。
【０１０７】
音声・テキスト変換部２０８は、電話機能部２０９から受け取った音声データをテキストデータに変換して、このテキストデータを電話機能部２０９に渡す。
【０１０８】
電話機能部２０９は、通信インターフェース部２０１を介して、発着信処理、通話処理、留守録処理等の電話本来の機能を実現する。加えて、電話機能部２０９は、疑似メール機能部２０５、テキスト・音声変換部２０７、および音声・テキスト変換部２０８と連携して、ユーザに、テキストによる電話端末４との双方向コミュニケーション機能を提供する。これらの機能を実現するため、図示するように、電話機能部２０９は、発着信制御部２０９１と、通話制御部２０９２と、留守録制御部２０９３と、を有する。
【０１０９】
発着信制御部２０９１は、呼の発着信処理を行って、通信インターフェース部２０１を介して通話相手である電話端末４との間に、通話路を確立する。
【０１１０】
加えて、発着信制御部２０９１は、自通信端末２がテキスト入力モードに設定されている場合に、通信インターフェース部２０１を介して電話端末４から呼が着信したならば、この呼に無鳴動応答して、電話端末４との間に通話路を確立するとともに、この通話路を介して電話端末４に操作音声ガイドを送信する。
【０１１１】
また、発着信制御部２０９１は、通話状態が未通話の場合に、疑似メール機能部２０５から疑似メールを受け取ったならば、この疑似送信メールの送信先に指定されている電話端末４に呼を発信する。そして、電話端末４が応答して、電話端末４との間に通話路を確立されたならば、この通話路を介して電話端末４に操作音声ガイドを送信する。
【０１１２】
通話制御部２０９２は、通話処理を行って、発着信制御部２０９１により確立された通話路を介して、通話相手である電話端末４との通話を実現する。
【０１１３】
加えて、通信端末２がテキスト入力モードに設定されているときに電話端末４から着信した呼、あるいは電話端末４に発信した呼により、電話端末４との間に通話路が確立された場合、通話制御部２０９２は、この通話路を介して電話端末４から受け取った音声データを音声・テキスト変換部２０８に渡して、この音声データから変換されたテキストデータを音声・テキスト変換部２０８から取得し、このテキストデータを電話端末４の電話番号とともに疑似メール機能部２０５に渡すとともに、疑似メール機能部２０５から電話端末４の電話番号とともに受け取ったテキストデータをテキスト・音声変換部２０７に渡して、このテキストデータから変換された音声データをテキスト・音声変換部２０７から取得し、通話路を介して電話端末４に、この音声データを送信する。
【０１１４】
留守録制御部２０９３は、自通信端末２が不在設定されている場合に、電話端末４から着信した呼に留守録処理を行って、この電話端末４から音声メッセージを取得して保存する。
【０１１５】
加えて、通信端末２がテキスト入力モードに設定されているときに電話端末４から着信した呼により電話端末４との間に通話路が確立された場合に、疑似メール機能部２０５による疑似メールの着信通知に対する表示操作をユーザから受け取ることなく、所定時間が経過すると、留守録制御部２０９３は、通話路を介して電話端末４に不在メッセージの音声データを送信する。
【０１１６】
図７は、本実施の形態に係る通信端末２の、電話端末４からの着信動作を説明するためのフロー図である。このフローは、テキスト入力モードに設定されている通信端末２が、電話端末４から呼が着信することにより開始される。
【０１１７】
まず、発着信制御部２０９１は、無鳴動応答して（Ｓ３０１）、電話端末４との間に通話路を確立する。そして、この通話路を介して電話端末４に操作音声ガイドを送信する（Ｓ３０２）。
【０１１８】
つぎに、通話制御部２０９２は、電話端末４のユーザが発話して、通話路を介して電話端末４から音声データを受信すると（Ｓ３０３でＹＥＳ）、この音声データの蓄積を開始する（Ｓ３０４）。そして、通話制御部２０９２は、蓄積された音声データから、所定時間以上継続する無音状態を検出すると（Ｓ３０５でＹＥＳ）、音声データの蓄積を終了するとともに、それまでに蓄積された音声データを音声・テキスト変換部２０８に渡す。音声・テキスト変換部２０８は、受け取った音声データをテキストデータに変換して、この変換されたテキストデータを通話制御部２０９２に渡す（Ｓ３０６）。
【０１１９】
それから、通話制御部２０９２は、電話端末４のユーザが所定のＰＢを操作し、通話路を介して電話端末４から所定のＰＢ信号を受信すると（Ｓ３０７でＹＥＳ）、音声・テキスト変換部２０８により、電話端末４から受け取った音声データから変換されたテキストデータを、この電話端末４の電話番号とともに、疑似メール機能部２０５に渡す。これを受けて、疑似メール機能部２０５は、この電話番号をキーにして、電話帳記憶部２０６から電話端末４の電話帳データを検索する。そして、疑似メール機能部２０５は、電話端末４の電話番号を送信元番号とし、通話制御部２０９２から受け取ったテキストデータと電話端末４の電話帳データとがメール本文に展開された疑似受信メールを作成する（Ｓ３０８）。そして、マンマシンインターフェース部２０２に疑似受信メールの着信通知を出力して（Ｓ３０９）、マンマシンインターフェース部２０２を介してユーザからの表示操作を待つ（Ｓ３１０）。
【０１２０】
ここで、ユーザから表示操作を受け付けることなく（Ｓ３１０でＮＯ）、所定時間の経過によりタイムアウトした場合（Ｓ３１１でＹＥＳ）、疑似メール機能部２０５は、電話機能部２０９に不在処理を指示する。これを受けて、電話機能部２０９の留守録制御部２０９３は、予め用意された不在メッセージの音声データを、確立している通話路を介して電話端末４に送信する（Ｓ３１２）。その後、電話端末４により通話路が切断されたならば（Ｓ３１３でＹＥＳ）、このフローが終了する。
【０１２１】
一方、所定時間の経過によりタイムアウトする前に（Ｓ３１１でＮＯ）、着信通知（Ｓ３０９）に対して、ユーザから表示操作を受け付けた場合（Ｓ３１０でＹＥＳ）、疑似メール機能部２０５は、マンマシンインターフェース部２０２に疑似受信メールを表示する（Ｓ３１４）。
【０１２２】
つぎに、疑似メール機能部２０５は、マンマシンインターフェース部２０２を介してユーザから疑似送信メールの作成指示を受け付けたならば（Ｓ３１５でＹＥＳ）、マンマシンインターフェース部２０２に疑似送信メールの作成画面を表示して、ユーザからテキストデータの入力を受け付け、返信用の疑似送信メールを作成する（Ｓ３１６）。そして、疑似メール機能部２０５は、マンマシンインターフェース部２０２を介してユーザから返信操作を受け付けたならば（Ｓ３１７でＹＥＳ）、この返信用の疑似送信メールのメール本文からテキストデータを抽出し（Ｓ３１８）このテキストデータを、この返信用の疑似送信メールの送信先（電話端末４）の電話番号とともに電話機能部２０９に渡す。
【０１２３】
これを受けて、電話機能部２０９の通話制御部２０９２は、疑似メール機能部２０５から受け取ったテキストデータをテキスト・音声変換部２０７に渡す。テキスト・音声変換部２０７は、受け取ったテキストデータを音声データに変換して、この変換された音声データを通話制御部２０９２に渡す（Ｓ３１９）。通話制御部２０９２は、確立している通話路を介して、疑似メール機能部２０５から受け取った電話番号により特定される電話端末４に、変換された音声データを送出する（Ｓ３２０）。
【０１２４】
また、通話制御部２０９２は、マンマシンインターフェース部２０２を介してユーザから終話操作を受け付けると（Ｓ３２１でＹＥＳ）、電話端末４との間に確立している通話路を切断する（Ｓ３２２）。これにより、このフローが終了する。また、電話端末４により通話路が切断されたならば（Ｓ３２３でＹＥＳ）、このフローが終了する。
【０１２５】
なお、終話操作を受け付けるか、あるいは通話路切断を検出するまで（Ｓ３２１、Ｓ３２３がいずれもＮＯの間）、通話相手からの音声受信を待ち（Ｓ３０３）、音声受信後の無音区間を検出する度に、受信した音声をテキストに変換する。
【０１２６】
図８は、本実施の形態に係る通信端末２の、電話端末４への発信動作を説明するためのフロー図である。このフローは、テキスト入力モードに設定されている通信端末２が、ユーザから電話端末４への発信操作を受け付けることにより開始される。
【０１２７】
まず、疑似メール機能部２０５は、マンマシンインターフェース部２０２に疑似送信メールの作成画面を表示して、ユーザからテキストデータの入力を受け付け、疑似送信メールを作成する（Ｓ３５１）。そして、疑似メール機能部２０５は、マンマシンインターフェース部２０２を介してユーザから送信操作を受け付けたならば（Ｓ３５２でＹＥＳ）、この疑似送信メールのメール本文からテキストデータを抽出する（Ｓ３５３）。それから、このテキストデータを、この疑似送信メールの送信先（電話端末４）の電話番号とともに電話機能部２０９に渡す。
【０１２８】
これを受けて、電話機能部２０９の発着信制御部２０９１は、疑似メール機能部２０５から受け取った電話番号を発信先とする呼の接続要求を通信インターフェース部２０１から送信する（Ｓ３５４）。そして、この電話番号により特定される電話端末４から応答を受信したならば（Ｓ３５５でＹＥＳ）、発着信制御部２０９１は、電話端末４との間に通話路を確立し、この通話路を介して電話端末４に操作音声ガイドを送信する（Ｓ３５６）。
【０１２９】
なお、Ｓ３５５において、所定時間内に応答を受信しない場合は、話中表示を行って、Ｓ３５２に戻り、再度、送信操作の受付を待つようにしてもよい。
【０１３０】
つぎに、通話制御部２０９２は、疑似メール機能部２０５から受け取ったテキストデータをテキスト・音声変換部２０７に渡し、テキスト・音声変換部２０７は、受け取ったテキストデータを音声データに変換し、この音声データを通話制御部２０９２に渡す（Ｓ３５７）。そして、通話制御部２０９２は、確立している通話路を介して、疑似メール機能部２０５から受け取った電話番号により特定される電話端末４に、変換された音声データを送出する（Ｓ３５８）。
【０１３１】
つぎに、通話制御部２０９２は、所定時間内に電話端末４のユーザが発話して、通話路を介して電話端末４から音声データを受信すると（Ｓ３５９でＹＥＳ）、この音声データの蓄積を開始する（Ｓ３６０）。そして、通話制御部２０９２は、蓄積された音声データから、所定時間以上継続する無音状態を検出すると（Ｓ３６１でＹＥＳ）、音声データの蓄積を終了するとともに、それまでに蓄積された音声データを音声・テキスト変換部２０８に渡す。音声・テキスト変換部２０８は、受け取った音声データをテキストデータに変換して、このテキストデータを通話制御部２０９２に渡す（Ｓ３６２）。
【０１３２】
それから、通話制御部２０９２は、電話端末４のユーザが所定のＰＢを操作し、通話路を介して電話端末４から所定のＰＢ信号を受信すると（Ｓ３６３でＹＥＳ）、音声・テキスト変換部２０８により、電話端末４から受け取った音声データから変換されたテキストデータを、この電話端末４の電話番号とともに、疑似メール機能部２０５に渡す（なお、所定のＰＢ信号の受信がない場合、通話相手からの音声蓄積とテキストへの変換を繰り返す）。これを受けて、疑似メール機能部２０５は、この電話番号をキーにして、電話帳記憶部２０６から電話端末４の電話帳データを検索する。そして、疑似メール機能部２０５は、電話端末４の電話番号を送信元番号とし、通話制御部２０９２から受け取ったテキストデータと電話端末４の電話帳データとがメール本文に展開された疑似受信メールを作成し（Ｓ３６４）、マンマシンインターフェース部２０２に疑似受信メールの着信通知を出力する（Ｓ３６５）。
【０１３３】
つぎに、疑似メール機能部２０５は、マンマシンインターフェース部２０２を介してユーザから表示操作を受け付けると（Ｓ３６６でＹＥＳ）、マンマシンインターフェース部２０２に疑似受信メールを表示する（Ｓ３６７）。
【０１３４】
それから、疑似メール機能部２０５は、マンマシンインターフェース部２０２を介してユーザから疑似送信メールの作成指示を受け付けたならば（Ｓ３６８でＹＥＳ）、マンマシンインターフェース部２０２に疑似送信メールの作成画面を表示し、ユーザからテキストデータの入力を受け付けて、疑似送信メールを作成する（Ｓ３６９）。そして、疑似メール機能部２０５は、マンマシンインターフェース部２０２を介してユーザから送信操作を受け付けたならば（Ｓ３７０でＹＥＳ）、この疑似送信メールのメール本文からテキストデータを抽出し（Ｓ３７１）、このテキストデータを、この疑似送信メールの送信先（電話端末４）の電話番号とともに電話機能部２０９に渡す。
【０１３５】
これを受けて、電話機能部２０９の通話制御部２０９２は、疑似メール機能部２０５から受け取ったテキストデータをテキスト・音声変換部２０７に渡し、テキスト・音声変換部２０７は、受け取ったテキストデータを音声データに変換して、この音声データを通話制御部２０９２に渡す（Ｓ３７２）。また、通話制御部２０９２は、確立している通話路を介して、疑似メール機能部２０５から受け取った電話番号により特定される電話端末４に、変換された音声データを送出する（Ｓ３７３）。
【０１３６】
また、通話制御部２０９２は、マンマシンインターフェース部２０２を介してユーザから終話操作を受け付けると（Ｓ３７４でＹＥＳ）、電話端末４との間に確立している通話路を切断する（Ｓ３７５）。これにより、このフローが終了する。また、電話端末４により通話路が切断されたならば（Ｓ３７６でＹＥＳ）、このフローが終了する。
【０１３７】
なお、終話操作を受け付けるか、あるいは通話路切断を検出するまで（Ｓ３７４、Ｓ３７６がいずれもＮＯの間）、通話相手からの音声受信を待ち（Ｓ３５９）、音声受信後の無音区間を検出する度に、受信した音声をテキストに変換する。
【０１３８】
以上、本発明の第二実施の形態について説明した。
【０１３９】
本実施の形態に係る通信端末２は、電話端末４から呼が着信した場合に、無鳴動応答して電話端末４との間に通話路を確立し、この通話路を介して電話端末４から音声データを受け付ける。そして、この音声データをテキスト変換して疑似受信メールを作成して表示する。また、ユーザよりテキスト入力を受け付けて疑似送信メールを作成し、この疑似送信メールのテキストデータを音声変換し、確立している通話路を介して電話端末４に、この音声データを送信する。
【０１４０】
また、通信端末２は、ユーザにより電話端末４への発信操作がなされた場合、ユーザよりテキスト入力を受け付けて疑似送信メールを作成するとともに、電話端末４に呼を発信する。そして、電話端末４が応答して電話端末４との間に通話路が確立されたならば、この疑似送信メールのテキストデータを音声変換し、通話路を介して電話端末４に、変換された音声データを送信する。また、この通話路を介して電話端末４から音声データを受け付け、この音声データをテキスト変換して疑似受信メールを作成して表示する。
【０１４１】
したがって、本実施の形態によれば、通信端末２のユーザは、音声入力を行うことが困難な場合でも、疑似メールを使って電話端末４のユーザと双方向のコミュニケーションを行うことができる。
【０１４２】
また、本実施の形態に係る通信端末２は、電話端末４から着信した呼に無鳴動応答して電話端末４との間に通話路を確立した場合に、この通話路を介して電話端末４から受け付けた音声データに基づき作成した疑似受信メールに対する表示操作を受け付けることなく所定時間が経過したならば、この通話路を介して電話端末４に不在メッセージの音声データを送信する。
【０１４３】
したがって、本実施の形態によれば、電話端末４から着信した呼に無鳴動応答した場合において、通信端末２のユーザが不在、会議等によりすぐに対応できない状態にある場合に、その旨を電話端末４のユーザに迅速に知らせることができる。
【０１４４】
また、本実施の形態に係る通信端末２は、通話路を介して電話端末４から所定のＰＢ信号を受信した場合に、この通話路を介してそれまでに電話端末４から受け取った音声データから変換されたテキストデータを含む疑似受信メールを作成し、ユーザに、この疑似受信メールの着信通知を行う。
【０１４５】
したがって、本実施の形態によれば、電話端末４のユーザは、通話中に、例えば通信端末２のユーザからいったん回答を得たい場合、話題を切り替えたい場合等の任意のタイミングで所定のＰＢを操作することにより、一回の疑似メールで通信端末２のユーザに通知する発話内容を任意に決めることができ、利便性が向上する。
【０１４６】
なお、本実施の形態では、自通信端末２がテキスト入力モードに設定されているときに、電話端末４から呼が着信した場合に、図７に示すフローが実施されるものとして説明したが、例えば着信した呼の発信元の電話帳データがテキスト入力対象に設定されている場合に、図７に示すフローを実施するようにしてもよい。
【０１４７】
同様に、本実施の形態では、自通信端末２がテキスト入力モードに設定されているときに、電話端末４への発信操作がなされた場合に、図８に示すフローが実施されるものとして説明したが、例えば発信先の電話帳データがテキスト入力対象に設定されている場合に、図８に示すフローを実施するようにしてもよい。
【０１４８】
また、本実施の形態では、ユーザとのやり取りに疑似メールを利用しているが、本発明はこれに限定されない。テキストを使ってユーザとやり取りすることができるものであればよい。
【０１４９】
また、本発明は上記の各実施の形態に限定されるものではなく、その要旨の範囲内で数々の変形が可能である。
【０１５０】
例えば、図２に示す通信端末１、および図６に示す通信端末２の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【符号の説明】
【０１５１】
１：通信端末、２：通信端末、３：メール端末、４：電話端末、１０１：通信インターフェース部、１０２：マンマシンインターフェース部、１０３：メール送受信部、１０４：メール機能部、１０５：テキスト・音声変換部、１０６：音声・テキスト変換部、１０７：電話機能部、２０１：通信インターフェース部、２０２：マンマシンインターフェース部、２０３：メール送受信部、２０４：メール機能部、２０５：疑似メール機能部、２０６：電話帳記憶部、２０７：テキスト・音声変換部、２０８：音声・テキスト変換部、２０９：電話機能部、１０７１：発着信制御部、１０７２：通話制御部、１０７３：留守録制御部、２０９１：発着信制御部、２０９２：通話制御部、２０９３：留守録制御部
【図１】
0005482569.tif 000002
【図２】
0005482569.tif 000003
【図３】
0005482569.tif 000004
【図４】
0005482569.tif 000005
【図５】
0005482569.tif 000006
【図６】
0005482569.tif 000007
【図７】
0005482569.tif 000008
【図８】
0005482569.tif 000009